(57)【要約】      （修正有）【課題】包装用容器の成型法等の簡易な手段で製造可能な、水滴が食材に付着することを可及的に抑制できる包装用容器を提供する。【解決手段】包装用容器は１０、底面１１と当該底面１１の外周がら立ち上げられた側壁１５とにより形成されるものである。側壁１５の端部にはスカート部１５ａが形成される。底面１１には、複数の突起１２が上方に膨出する形状で設けられている。突起１２の形状は半球状であるが、勿論かかる限定を受けるものではなく、円錐状等でも構わない。【選択図】図５
0003194273.tif 000002
【実用新案登録請求の範囲】
【請求項１】
底面及び側壁を有する樹脂製包装用容器であって、底面（１１）に複数の突起（１２）を設けると共に、底面（１１）を中央部が上方に盛り上がった湾曲形状に形成した包装用容器。
【請求項２】
底面（１１）が直線状に傾斜した請求項１に記載の包装用容器。
【請求項３】
底面（１１）が山形形状に傾斜した請求項１に記載の包装用容器。
【請求項４】
底面（１１）の端部周縁に溝部（１３）を設けた請求項１乃至請求項３いずれかに記載の包装用容器。
【請求項５】
底面（１１）の表面に界面活性剤を塗布した請求項１乃至請求項４いずれかに記載の包装用容器。
【請求項６】
底面（１１）の裏面にリブ（１４）を設けた請求項１乃至請求項５いずれかに記載の包装用容器。
【考案の詳細な説明】
【技術分野】
【０００１】
本考案は包装用容器に関し、より詳しくは、食材を包装した状態で電子レンジで加温した際などに発生する水滴が、食材に付着することを可及的に抑制できる包装用容器に関する。
【背景技術】
【０００２】
加工米飯、例えば白米、赤飯、五目ご飯、ピラフのような食材を包装した容器を容器ごと電子レンジで加温すると、発生する水滴が容器底面に溜まり、米飯に付着することで食感が低下することがある。
【０００３】
そこで容器底面にメッシュ状の樹脂シートを敷き、かつ当該樹脂シートの裏面に不織布を張着することで、発生する水滴を吸着し上記不都合を回避する包装用容器が市販されている。
【０００４】
また、特許文献１には容器本体の基材と、前記基材に全面に亘って接着される多孔性のオレフィン系吸水樹脂フィルムを備える包装用容器において、当該オレフィン系吸水樹脂フィルムを吸水層と防水層を積層して構成することで結露や水滴が食品に接触することを防止可能な包装用容器が開示されている。
【先行技術文献】
【特許文献】
【０００５】
【特許文献１】特開２０１２−２２４３４２号公報
【考案の概要】
【考案が解決しようとする課題】
【０００６】
上記背景技術で記した従来例はいずれも有用な考案であるが、容器本体とは別個の部材を要したり、あるいは製造工程が複雑になるなどコストの面等で実際的ではない。
【０００７】
そこで本考案は、包装用容器の成型法等の簡易な手段で製造可能な、水滴が食材に付着することを可及的に抑制できる包装用容器を提供することを目的とする。
【課題を解決するための手段】
【０００８】
上記の目的を達成する本考案の構成は次の通りである。
【０００９】
（１） 請求項１に記載の考案は、底面及び側壁を有する樹脂製包装用容器において、底面に複数の突起を設けると共に、中央部を上方に盛り上がった形状に湾曲して構成した。
【００１０】
（２）請求項２に記載の考案は、請求項１に記載の包装用容器において、底面を直線状に傾斜せしめて構成した。
【００１１】
（３）請求項３に記載の考案は、請求項１に記載の包装用容器において、底面を山形形状に傾斜せしめて構成した。
【００１２】
（４）請求項４に記載の考案は、請求項１乃至３いずれかに記載の包装用容器において、底面端部周縁に溝部を設けて構成した。
【００１３】
（５）請求項５に記載の考案は、請求項１乃至４いずれかに記載の包装用容器において、底面表面に界面活性剤を塗布して構成した。
【００１４】
（６）請求項６に記載の考案は、請求項１乃至５いずれかに記載の包装用容器において、底面の裏面にリブを設けて構成した。
【考案の効果】
【００１５】
上記のように構成される本考案が、如何に作用して課題を解決するかを図面を参照しながら概説する。
【００１６】
本考案に係る包装用容器１０は図１や図３乃至図８に示されるように、その底面１１に複数の突起１２・・を備えてなるものである。それゆえ、図９に示されるように包装用容器１０内に収容される加工米飯２０は、突起１２により接触面Ａが点状で支持されることになる。
【００１７】
しかも、加工米飯２０はその粘着性により塊状を呈するがゆえに、突起１２間に存する底部Ｂに加工米飯２０が落下することがない。他方で電子レンジで加熱されることにより加工米飯から発生する蒸気は、凝結することで水滴２１として底部Ｂに溜まることになる。
【００１８】
かように、水滴２１は底部Ｂに溜まり、加工米飯２０は突起１２上に位置することから、両者は接触せず、すなわち水滴が食材に付着することを抑制可能となるのである。
【００１９】
しかも、底面は１１は図３に示すように湾曲状、図５に示すように傾斜形状、あるいは図６に示すように山形状を呈するがゆえに、底部Ｂに溜まった水滴２１は底面１１の端縁に向かって流下していき、底面端部周縁に設けられた溝部１３に貯留されるものであり、水滴が食材に付着することを一層回避可能となるものである。
【００２０】
更には、請求項５に記載の考案のように、底面１１の表面に界面活性剤を塗布すれば、水滴が表面張力により球状に盛り上がることを抑制でき、水滴と食材との接触の可能性をより抑えることが可能となるのである。
【００２１】
請求項６に記載の考案においては図４に示すように底面１１の裏面にリブ１４が設けてあり、加工米飯等の食材の重みで底面１１が沈降することを防ぐことが可能となる。これにより、水滴の流下が妨げられたり、あるいは溝部１３に溜まった水が逆流することを避け得るものである。
【００２２】
本考案においては底面１１に設けられているものが突起１２であり、箸が引っ掛かることが少ないというメリットもある。すなわち、底面に凹部が設けられていたり、あるいは線条が設けられていると、凹部に箸が嵌まり込んだり、あるいは線条間の溝に沿ってしか箸が滑らず、線条自体が箸の動きを抑制してしまうが、本考案においては、かかる不都合を回避可能なものである。
【図面の簡単な説明】
【００２３】
【図１】本考案に係る包装用容器の正面図
【図２】同、右側面図
【図３】図１におけるＡ−Ａ線端面図
【図４】同、Ｂ−Ｂ線端面図
【図５】請求項２記載の考案の断面図
【図６】請求項３記載の考案の断面図
【図７】他の実施例の正面図
【図８】図７におけるＣ−Ｃ線端面図
【図９】実施状態を示す説明図
【考案を実施するための形態】
【００２４】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２５】
本考案にかかる包装用容器は１０、底面１１と当該底面１１の外周がら立ち上げられた側壁１５とにより形成されるものである。側壁１５の端部にはスカート部１５ａが形成される。
【００２６】
底面１１には、複数の突起１２が上方に膨出する形状で設けられている。突起１２の形状は半球状であるが、勿論かかる限定を受けるものではなく、円錐状等でも構わない。
【００２７】
底面１１は、請求項１記載の考案においては、図３に示されるように上方に膨出する湾曲形状に形成されている。請求項２記載の考案においては、図５に示されるように一方側壁１５から他方側壁１５に向けて直線状に傾斜する形態で設けられている。請求項３記載の考案においては、図６に示されるように中央部を頂点とする山形形状に設けられている。
【００２８】
図１や図３に示されるように、底面１１の端部周縁には溝部１３が形成されている。
【００２９】
また、底面１１の裏面には図１や図４に示されるようにリブ１４が一対設けられている。リブ１４の形状は図示されるように線条であるが、勿論かかる限定を受けるものではなく底面１１が内容物の重さで平坦になることを防ぐことが可能であれば、任意形状で構わない。
【００３０】
上述のように形成される包装用容器１０は、シート成形により形成されている。シート成形としては例えば真空成形、圧空成形、真空圧空成形、両面真空成形、熱板成形等があり、何れにしても合成樹脂シートを熱成形することにより形成される。
【００３１】
請求項５に記載の考案においては、底面１１の表面に界面活性剤が塗布されている。界面活性剤としては、ショ糖脂肪酸エステルや、ポリグリセリン脂肪酸エステル等の、食品添加物として認められたものが好ましいものである。
【符号の説明】
【００３２】
１０・・包装用容器      １１・・底面      １２・・突起
１３・・溝部      １４・・リブ      １５・・側壁
【図１】
0003194273.tif 000003
【図２】
0003194273.tif 000004
【図３】
0003194273.tif 000005
【図４】
0003194273.tif 000006
【図５】
0003194273.tif 000007
【図６】
0003194273.tif 000008
【図７】
0003194273.tif 000009
【図８】
0003194273.tif 000010
【図９】
0003194273.tif 000011